(57)【要約】【課題】サスペンド状態の電子機器が使用状態に復帰する際にある程度の時間がかかるため、ユーザにとって煩雑であるという問題があった。このため、レジューム処理を受けてから電子機器が使用状態に復帰するまでに要する時間を短縮することが課題になっていた。【解決手段】実施形態の電子機器は、スタンバイ状態への移行指示に応じて、映像表示部に表示されている作業画面の表示情報を記憶する記憶部を備える。また、前記スタンバイ状態においてレジューム指示を受信し、このレジューム指示に応じて前記映像表示部に電源を供給する電源供給部備える。また、前記電源が供給された前記映像表示部に、前記記憶部に記憶されている前記作業画面の表示情報を用いて表示を行う作業画面表示部を備える。【選択図】  図２
2013007974.tif 000002
【特許請求の範囲】
【請求項１】
スタンバイ状態への移行指示に応じて、映像表示部に表示されている作業画面の表示情報を記憶する記憶部と、
前記スタンバイ状態においてレジューム指示を受信し、このレジューム指示に応じて前記映像表示部に電源を供給する電源供給部と、
前記電源が供給された前記映像表示部に、前記記憶部に記憶されている前記作業画面の表示情報を用いて表示を行う作業画面表示部を備える電子機器。
【請求項２】
前記記憶部は、実質的に前記映像表示部に設けられる請求項１に記載の電子機器。
【請求項３】
前記記憶部は、前記スタンバイ状態においても電源供給が可能なバックアップ電源に接続される請求項１に記載の電子機器。
【請求項４】
前記スタンバイ状態において、前記記憶部には電源が供給される請求項１に記載の電子機器。
【請求項５】
前記電源供給部は、実質的に前記映像表示部に設けられる請求項１に記載の電子機器。
【請求項６】
前記作業画面の表示情報は、前記スタンバイ状態への移行時に表示されていた最後の作業画面の表示情報である請求項１に記載の電子機器。
【請求項７】
前記作業画面の表示情報に代えて、前記スタンバイ状態への移行指示に応じて前記記憶部にログイン画面情報を保存し、前記記憶部に保存されているログイン画面情報を用いて前記映像表示部に表示を行う請求項１に記載の電子機器。
【請求項８】
前記記憶部は、スタティックスクリーンバッファを含む請求項１に記載の電子機器。
【請求項９】
スタンバイ状態への移行指示に応じて、映像表示部に表示されている作業画面の表示情報を記憶するステップと、
前記スタンバイ状態においてレジューム指示を受信し、このレジューム指示に応じて前記映像表示部に電源を供給するステップと、
前記電源が供給された前記映像表示部に、前記記憶されている前記作業画面の表示情報を用いて表示を行うステップを備える電子機器の制御方法。
【請求項１０】
スタンバイ状態への移行指示に応じて、映像表示部に表示されている作業画面の表示情報を記憶するステップと、
前記スタンバイ状態においてレジューム指示を受信し、このレジューム指示に応じて前記映像表示部に電源を供給するステップと、
前記電源が供給された前記映像表示部に、前記記憶されている前記作業画面の表示情報を用いて表示を行うステップを備える電子機器の制御プログラム。
【発明の詳細な説明】
【技術分野】
【０００１】
本発明の実施形態は、電子機器、電子機器の制御方法、電子機器の制御プログラムに関する。
【背景技術】
【０００２】
近年、電子機器において、消費電力を抑制することが課題の一つになっている。この消費電力の抑制において、例えば、電子機器の使用を一時的に停止する場合に、電子機器をサスペンド状態に移行させ、消費電力を抑制する技術がある。
【０００３】
しかし、サスペンド状態の電子機器がレジューム処理を受けてから使用状態に復帰する際には、一般に、ある程度の時間を要する。このため、サスペンド状態から使用状態に復帰する際に要する、このある程度の時間が、ユーザにとって煩雑であるという問題があった。
【０００４】
このため、レジューム処理を受けてから電子機器が使用状態に復帰するまでに要する時間を短縮することが課題になっていた。
【先行技術文献】
【特許文献】
【０００５】
【特許文献１】特開２００７−８６２３０号公報
【発明の概要】
【発明が解決しようとする課題】
【０００６】
サスペンド状態の電子機器が使用状態に復帰する際にある程度の時間がかかるため、ユーザにとって煩雑であるという問題があった。
このため、レジューム処理を受けてから電子機器が使用状態に復帰するまでに要する時間を短縮することが課題になっていた。
【課題を解決するための手段】
【０００７】
実施形態の電子機器は、スタンバイ状態への移行指示に応じて、映像表示部に表示されている作業画面の表示情報を記憶する記憶部を備える。
また、前記スタンバイ状態においてレジューム指示を受信し、このレジューム指示に応じて前記映像表示部に電源を供給する電源供給部備える。
また、前記電源が供給された前記映像表示部に、前記記憶部に記憶されている前記作業画面の表示情報を用いて表示を行う作業画面表示部を備える。
【図面の簡単な説明】
【０００８】
【図１】実施形態に係わる電子機器の外観の一例を示す外観図。
【図２】実施形態に係わる電子機器において、映像表示部に、記憶部（ＳＳＢ）およびＬＣＤに電源（電力）を供給する電源（電力）供給部が実質的に設けられるようすを示す図。
【図３】実施形態に係わる電子機器の構成を説明するブロック図。
【図４】実施形態に係わる電子機器の構成を説明するブロック図。
【図５】実施形態に係わる電子機器で用いられる省電力規格における規定を説明する図。
【図６】実施形態に係わる電子機器において、スタンバイ状態（Ｓ３）への移行時に表示されている作業画面を示す図。
【図７】実施形態に係わる電子機器において、スタンバイ状態への移行指示に応じて、映像表示部に表示されている作業画面の表示情報を記憶するようすを説明するフローチャート。
【図８】実施形態に係わる電子機器において、スタンバイ状態において受信したレジューム指示に応じて、記憶されている作業画面の表示情報を用いて表示を行うようすを説明するフローチャート。
【図９】実施形態に係わる電子機器において表示されるログイン画面を示す図。
【図１０】実施形態に係わる電子機器において、スタンバイ状態への移行指示に応じて、ログイン画面の表示情報を記憶するようすを説明するフローチャート。
【図１１】実施形態に係わる電子機器において、スタンバイ状態において受信したレジューム指示に応じて、記憶されているログイン画面の表示情報を用いて表示を行うようすを説明するフローチャート。
【発明を実施するための形態】
【０００９】
以下、図面を参照し、実施の形態を説明する。
図１は、実施形態に係わる電子機器の外観の一例を示す外観図である。
ここでは、電子機器は、例えばノートブックタイプのパーソナルコンピュータ（ノートＰＣ、またはＰＣ）１０として実現されている。
なお、この実施の形態はパーソナルコンピュータに限られず、ＴＶや携帯電話、携帯型の電子機器等に適用することも可能である。
図１に示すように、電子機器（ノートＰＣ）１０は、コンピュータ（ノートＰＣ）本体１１と、映像表示部１２とから構成されている。映像表示部１２には、例えば、ＬＣＤ（liquid crystal display）１７が組み込まれている。
【００１０】
映像表示部１２は、コンピュータ（ノートＰＣ）本体１１の上面が露出される開放位置とコンピュータ（ノートＰＣ）本体１１の上面を覆う閉塞位置との間を回動自在にコンピュータ（ノートＰＣ）本体１１に取り付けられている。
【００１１】
コンピュータ（ノートＰＣ）本体１１は、薄い箱形の筐体を有しており、その上面には、キーボード１３、電子機器（ノートＰＣ）１０を電源オン／電源オフするためのパワーボタン１４、タッチパッド１６、スピーカ１８Ａ，１８Ｂなどが配置されている。
【００１２】
また、コンピュータ（ノートＰＣ）本体１１の、例えば、右側面には、ＵＳＢ（universal serial bus）２．０規格のＵＳＢケーブルやＵＳＢデバイスを接続するためのＵＳＢコネクタ１９が設けられている。
【００１３】
さらに、コンピュータ（ノートＰＣ）本体１１の背面には、例えばＨＤＭＩ(high-definition multimedia interface)規格に対応した外部ディスプレイ接続端子が設けられている（図示せず）。この外部ディスプレイ接続端子は、デジタル映像信号を外部ディスプレイに出力するために用いられる。
【００１４】
図２は、実施形態に係わる電子機器において、映像表示部に、記憶部（ＳＳＢ）およびＬＣＤに電源（電力）を供給する電源供給部が実質的に設けられるようすを示す図である。
【００１５】
２１は、例えば、上記映像表示部１２に組み込まれるＬＣＤ１７の表示制御を行うタイミングコントローラ（ＴＣＯＮ）である。また、２２はスタティックスクリーンバッファ（ＳＳＢ）である。
【００１６】
後述するように、この実施の形態においては、ＰＣ本体１１に構成されるシステムメモリ１０３を便宜上、第１の記憶部と呼ぶ。このため、このスタティックスクリーンバッファ（ＳＳＢ）２２は、第２の記憶部と呼ぶ。
【００１７】
また、タイミングコントローラ（ＴＣＯＮ）２１は、ＧＰＵ１０５に制御される。
この実施の形態においては、図２に示すように、上記タイミングコントローラ（ＴＣＯＮ）１７およびスタティックスクリーンバッファ（ＳＳＢ）２２は、映像表示部１２の内部、すなわち、実質的に、映像表示部１２に設けられる。
【００１８】
ここで、スタティックスクリーンバッファ（ＳＳＢ）の説明をする。
スタティックスクリーンバッファ（ＳＳＢ）は、例えば、ＶＥＳＡ（Ｖｉｄｅｏ  Ｅｌｅｃｔｒｏｎｉｃｓ  Ｓｔａｎｄａｒｄｓ  Ａｓｓｏｃｉａｔｉｏｎ）からアナウンスされた、エンベデッドディスプレーポート（Ｅｍｂｅｄｄｅｄ  Ｄｉｓｐｌａｙ  Ｐｏｒｔ、(ｅＤＰ)）Ｖｅｒｓｉｏｎ  １．３で定義されるメモリである。
【００１９】
ここでは、スタティックスクリーンバッファ（ＳＳＢ）２２は、例えば、ＤＲＡＭ（Ｄｙｎａｍｉｃ  Ｒａｎｄｏｍ Ａｃｃｅｓｓ  Ｍｅｍｏｒｙ）で構成され、また、電子機器１０がスタンバイ状態においても後述するバックアップ電源等から電源（電力）が供給され続けるため、映像表示部１２の表示情報等のデータを保持することが可能である。
【００２０】
図３は、実施形態に係わる電子機器の構成を説明するブロック図である。
上記のように、映像表示部１２には、上記タイミングコントローラ（ＴＣＯＮ）２１および上記スタティックスクリーンバッファ（ＳＳＢ）２２が構成される。
また、図３に示すように、スタティックスクリーンバッファ（ＳＳＢ）２２は、バックアップ電源２０Ａに接続され、電子機器１０がスタンバイ状態になった場合には、スタティックスクリーンバッファ（ＳＳＢ）２２は、このバックアップ電源２０Ａから電源（電力）供給を受ける。これにより、例えば、電子機器１０がスタンバイ状態に移行した際にも、映像表示部１２に表示されている表示情報等のデータをスタティックスクリーンバッファ（ＳＳＢ）２２に保持することが可能である。
【００２１】
ＰＣ本体１１には、システムメモリ１０３、ＣＰＵ１０１、ＧＰＵ１０５、ＶＲＡＭ１０５Ａ、バックアップ電源２０Ｂ、サウスブリッジ等を含むＰＣＨ１０４が構成される。
【００２２】
また、上記と同様に、システムメモリ１０３は、バックアップ電源２０Ｂに接続される。このバックアップ電源２０Ｂは上記と同じ電源（バックアップ電源２０Ａ）を用いても良いし、別に構成される電源を用いても良い。
【００２３】
そして、電子機器１０がスタンバイ状態になった場合には、このバックアップ電源２０Ｂから電源（電力）供給を受ける。例えば、電子機器１０がスタンバイ状態に移行した際には、ＯＳ等の電子機器１０を起動させるデータ等を保持することが可能である。
【００２４】
図４は、実施形態に係わる電子機器の構成を説明するブロック図である。
電子機器（ノートＰＣ）１０は、図４に示すように、ＣＰＵ（central processing unit）１０１、システムメモリ１０３、サウスブリッジ１０４、ＧＰＵ（Graphics Processing Unit）１０５、ＶＲＡＭ（ビデオＲＡＭ:random access memory）１０５Ａ、サウンドコントローラ１０６、ＢＩＯＳ−ＲＯＭ（basic input/output system-read only memory）１０７、ＬＡＮ（local area network）コントローラ１０８、ハードディスクドライブ（ＨＤＤ（記憶装置））１０９、光ディスクドライブ（ＯＤＤ）１１０、ＵＳＢコントローラ１１１Ａ、カードコントローラ１１１Ｂ、カードスロット１１１Ｃ、無線ＬＡＮコントローラ１１２、エンベデッドコントローラ／キーボードコントローラ（ＥＣ／ＫＢＣ）１１３、ＥＥＰＲＯＭ（electrically erasable programmable ROM）１１４等を備える。
【００２５】
ＣＰＵ１０１は、電子機器（ノートＰＣ）１０内の各部の動作を制御するプロセッサである。
ＣＰＵ１０１は、ＢＩＯＳ−ＲＯＭ１０７に格納されたＢＩＯＳを実行する。ＢＩＯＳは、ハードウェア制御のためのプログラムである。ＣＰＵ１０１には、システムメモリ１０３をアクセス制御するメモリコントローラも内蔵されている。また、例えば、PCI EXPRESS規格のシリアルバスなどを介してＧＰＵ１０５との通信を実行する機能も有している。
【００２６】
ＧＰＵ１０５は、電子機器（ノートＰＣ）１０のディスプレイモニタとして使用されるＬＣＤ１７を制御する表示コントローラである。
このＧＰＵ１０５によって生成される表示信号はＬＣＤ１７に送られる。また、ＧＰＵ１０５は、ＨＤＭＩ制御回路３およびＨＤＭＩ端子２を介して、外部ディスプレイ１にデジタル映像信号を送出することもできる。
【００２７】
ＨＤＭＩ端子２は、前述の外部ディスプレイ接続端子である。ＨＤＭＩ端子２は、非圧縮のデジタル映像信号とデジタルオーディオ信号とを１本のケーブルでテレビのような外部ディスプレイ１に送出することができる。ＨＤＭＩ制御回路３は、ＨＤＭＩモニタと称される外部ディスプレイ１にデジタル映像信号を、ＨＤＭＩ端子２を介して送出するためのインタフェースである。
【００２８】
サウスブリッジ１０４は、ＰＣＩ（Peripheral Component Interconnect）バス上の各デバイス及びＬＰＣ（Low Pin Count）バス上の各デバイスを制御する。また、サウスブリッジ１０４は、ＨＤＤ１０９及びＯＤＤ１１０を制御するためのＩＤＥ（Integrated Drive Electronics）コントローラを内蔵している。
【００２９】
さらに、サウスブリッジ１０４は、サウンドコントローラ１０６との通信を実行する機能も有している。
サウンドコントローラ１０６は音源デバイスであり、再生対象のオーディオデータをスピーカ１８Ａ，１８ＢまたはＨＤＭＩ制御回路３に出力する。ＬＡＮコントローラ１０８は、例えばIEEE 802.3規格の有線通信を実行する有線通信デバイスであり、一方、無線ＬＡＮコントローラ１１２は、例えばIEEE 802.11g規格の無線通信を実行する無線通信デバイスである。ＵＳＢコントローラ１１１Ａは、例えばUSB 2.0規格に対応した外部機器との通信を実行する。
【００３０】
例えば、ＵＳＢコントローラ１１１Ａは、デジタルカメラに格納されている画像データファイルを受信するために使用される。また、カードコントローラ１１１Ｂは、コンピュータ（ノートＰＣ）本体１１に設けられたカードスロットに挿入される、ＳＤカードのようなメモリカードに対するデータの書き込み及び読み出しを実行する。
【００３１】
ＥＣ／ＫＢＣ１１３は、電力管理のためのエンベデッドコントローラと、キーボード１３及びタッチパッド１６を制御するためのキーボードコントローラとが集積された１チップマイクロコンピュータである。ＥＣ／ＫＢＣ１１３は、ユーザによるパワーボタン１４の操作に応じて電子機器（ノートＰＣ）１０を電源オン／電源オフする機能を有している。
【００３２】
この実施の形態における表示制御は、例えば、ＣＰＵ１０１がシステムメモリ１０３やＨＤＤ１０９等に記録されたプログラムを実行させることにより行われる。
図５は、実施形態に係わる電子機器で用いられる省電力規格における規定を説明する図である。
電子機器（ＰＣ）１０の使用を一時停止する場合に、例えば、「スタンバイ状態（サスペンド）」または「休止状態（ハイバネーション）」にすることで、消費電力を抑制することが可能である。
【００３３】
特にバッテリ等で駆動する電子機器（ノート型ＰＣ等）では、例えば、移動中などにスタンバイ状態にしておくことで、消費電力を抑制しつつ、作業の停止・再開を比較的早く行うことが可能である。また、デスクトップ型ＰＣ等でも、使用しない時間は、電子機器をスタンバイ状態や休止状態にすることで、消費電力を抑制することが可能である。
【００３４】
ところで、「ＡＣＰＩ」では、電子機器（ＰＣ）の省電力システムにおける電源（電力）状況（省電力規格のスリープ・ステート（ステータス））を「Ｓ０（フル稼働）」から「Ｓ５（ソフトウェアによる電源オフ）」までの６段階で規定している。ここで、「ＡＣＰＩ」はAdvanced Configuration and Power Interfaceの略である。
【００３５】
図５は、この「ＡＣＰＩ」省電力規格におけるステータスを説明する。
５０は、電子機器（ＰＣ）のステータスは「Ｓ０」、すなわち、電子機器（ＰＣ）全体に電源（電力）が供給された、「フル稼働状態」である。
５１は、電子機器（ＰＣ）のステータスは「Ｓ１」、すなわち、「低消費電力状態」であるが、この「Ｓ１」の状態では、プロセッサ、チップセットは電源オンにする。
【００３６】
５２は、電子機器（ＰＣ）のステータスは「Ｓ２」、すなわち、「低消費電力状態」であるが、この「Ｓ２」の状態では、プロセッサとキャッシュは電源オフ、チップセットは電源オンにする。
【００３７】
５３は、電子機器（ＰＣ）のステータスは「Ｓ３」、すなわち、「スタンバイ状態」である。
５４は、電子機器（ＰＣ）のステータスは「Ｓ４」、すなわち、「休止状態」である。
５５は、電子機器（ＰＣ）のステータスは「Ｓ５」、すなわち、「ソフトウェアによる電源オフ」である。
ここで、上記「スタンバイ状態」と上記「休止状態」について、説明する。
「スタンバイ状態」とは、グラフィックス機能やハードディスク、そのほかのデバイスの電源をオフにすることで、消費電力を抑えるモードである。
ただし、システムメモリ１０３には電力が供給され、実行中のデータが保持される。このため、電源オフ／オンと違い、作業を中断した状態からの再開が可能である。また、通常、「スタンバイ状態」からの復帰は数秒程度である。
【００３８】
「休止状態」とは、ハードディスク１１０にシステムメモリ１０３の内容を退避してから、システムメモリ１０３を含む各デバイスの電源をオフにするモードである。このため、ハードディスク１１０には、システムメモリ１０３とほぼ同じ容量の「休止状態」用のデータ退避領域が確保される。
【００３９】
「休止状態」は、例えば、ノートＰＣのバッテリ駆動でもバッテリの電力は消費されないため、「休止状態」を維持し続けることが可能である。しかし、システムメモリ１０３の内容をハードディスク１１０に退避したり、読み出したりしなければならないため、「スタンバイ状態」に比べ、「休止状態」への移行や復帰に時間がかかる。
【００４０】
この実施の形態は、上記電子機器において、「スタンバイ状態（Ｓ３）」から使用状態に復帰する技術に係る。
図６は、実施形態に係わる電子機器において、スタンバイ状態（Ｓ３）への移行時に表示されている作業画面表示を示す図である。
ここでは、例えば、ユーザが電子機器（ＰＣ）１０のキーボード１３（「Fn」キー＋「F3」キー）を操作し、スタンバイ状態（Ｓ３）への移行を指示する。
６０は、この時に映像表示部１２に表示されていた作業画面表示である。ここでは、「スタンバイ状態（Ｓ３）移行時表示の作業画面」と表示されている。
この実施の形態においては、上記スタンバイ状態への移行指示に応じて、この作業画面表示６０（映像表示部に表示されている作業画面の表示情報）は、上記記憶部（スタティックスクリーンバッファ（ＳＳＢ））２２に記憶され、保持される。
【００４１】
また、電子機器（ＰＣ）１０のスタンバイ状態においてレジューム指示を受信し、このレジューム指示に応じて、映像表示部１２に、上記記憶部（スタティックスクリーンバッファ（ＳＳＢ））２２に記憶されている作業画面の表示情報を用いて表示を行う。
【００４２】
このように構成することにより、この実施の形態においては、例えば、上記のように記憶部（スタティックスクリーンバッファ（ＳＳＢ））２２を用いて上記スタンバイ状態（Ｓ３）への移行を行なうことにより、例えば、レジューム処理（スタンバイ状態（Ｓ３）への移行）に２秒間〜３秒間程度要していた時間を、例えば、０．３秒間程度に低減することが可能になる。
【００４３】
図７は、実施形態に係わる電子機器において、スタンバイ状態への移行指示に応じて、映像表示部に表示されている作業画面の表示情報を記憶するようすを説明するフローチャートである。
【００４４】
ステップＳ１００は、ここでの開始ステップである。続いて、ステップＳ１０１に進む。
ステップＳ１０１は、ユーザが電子機器（ＰＣ）１０を動作し、作業を行なうステップである。続いて、ステップＳ１０２に進む。
ステップＳ１０２は、電子機器（ＰＣ）１０の映像表示部１２に、作業画面を表示するステップである。続いて、ステップＳ１０３に進む。
ステップＳ１０３は、例えば、ユーザが電子機器（ＰＣ）１０のキーボード１３を上記のように操作し、スタンバイ状態（Ｓ３）への移行を指示するステップである。続いて、ステップＳ１０４に進む。
【００４５】
ステップＳ１０４は、上記スタンバイ状態（Ｓ３）への移行指示を受けた際に、例えば、映像表示部１２に表示されていた、少なくとも１画面（フレーム）分の、最後の作業画面情報（例えば、図６）を第２の記憶部（スタティックスクリーンバッファ（ＳＳＢ）２２）に記憶するステップである。続いて、ステップＳ１０５に進む。
【００４６】
ステップＳ１０５は、上記第２の記憶部（ＳＳＢ２２）および上記第１の記憶部（システムメモリ１０３）を除き、ＰＣ１０への電源（電力）供給を停止するステップである。続いて、ステップＳ１０６に進む。
【００４７】
ステップＳ１０６は、電子機器（ＰＣ）１０が上記スタンバイ状態（Ｓ３）に移行するステップである。続いて、ステップＳ１０７に進む。
ステップＳ１０７は、終了ステップであり、ここでの処理は終了する。
図８は、実施形態に係わる電子機器において、スタンバイ状態において受信したレジューム指示に応じて、記憶されている作業画面の表示情報を用いて表示を行うようすを説明するフローチャートである。
【００４８】
ステップＳ２００は、ここでの開始ステップである。続いて、ステップＳ２０１に進む。
ステップＳ２０１は、電子機器（ＰＣ）１０はスタンバイ状態（Ｓ３）に移行しているステップである。続いて、ステップＳ２０２に進む。
ステップＳ２０２は、例えば、ユーザが電子機器（ＰＣ）１０のキーボード１３等を操作し、「レジューム」指示を行なうステップである。
ここで、「レジューム」について説明する。
「レジューム」とは、サスペンド状態のコンピュータ（電子機器（ＰＣ））に電源を投入し、元の状態に復帰させることを指す。サスペンド機能と同義として使われる場合もある。
【００４９】
続いて、ステップＳ２０３に進む。
ステップＳ２０３は、上記スタンバイ状態（Ｓ３）からレジューム処理を開始するステップである。続いて、ステップＳ２０４に進む。
ステップＳ２０４は、映像表示部１２のＬＣＤ１７の電源をＯＮにするステップである。このＬＣＤ１７の電源ＯＮ／ＯＦＦは、例えば、上記ＧＰＵ１０５に制御されるタイミングコントローラ（ＴＣＯＮ）２１によって制御される。続いて、ステップＳ２０に進む。
【００５０】
ステップＳ２０５は、上記第２の記憶部（ＳＳＢ２２）に記憶された、上記最後の作業画面をＬＣＤ１７に表示するステップである。続いて、ステップＳ２０６に進む。
【００５１】
ステップＳ２０６は、電子機器（ＰＣ）１０が上記レジューム処理を実行し、電子機器（ＰＣ）１０はフル稼働状態（Ｓ０）に移行するステップである。続いて、ステップＳ２０７に進む。
【００５２】
ステップＳ２０７は、終了ステップであり、ここでの処理は終了する。
上記のように構成することによって、この実施の形態においては、レジューム処理を受けてから電子機器が使用状態に復帰するまでに要する時間を短縮することが可能になる。
【００５３】
図９は、実施形態に係わる電子機器において表示されるログイン画面を示す図である。
ここでは、上記と同様に、例えば、ユーザが電子機器（ＰＣ）１０のキーボード１３（「Fn」キー＋「F3」キー）を操作し、スタンバイ状態（Ｓ３）への移行を指示する。
【００５４】
９０は、スタンバイ状態からの復帰の際に、ユーザにユーザ名やパスワード等の所定の情報の入力を求める「ログイン画面」の例である。
この実施の形態においては、上記スタンバイ状態への移行指示に応じて、この時この電子機器（ＰＣ）１０を使用していた表示情報、すなわちユーザ情報（例えば、上記ユーザ名やパスワード等の情報）が、上記記憶部（スタティックスクリーンバッファ（ＳＳＢ））２２に記憶され、保持される。
【００５５】
そして、電子機器（ＰＣ）１０がスタンバイ状態の場合にレジューム指示を受信すると、このレジューム指示に応じて、映像表示部１２に、上記記憶部（スタティックスクリーンバッファ（ＳＳＢ））２２に記憶されている「ログイン画面」９０を表示する。
【００５６】
そして、例えば、ユーザから上記ユーザ名や上記パスワード等の所定の表示情報（ユーザ情報）が入力されると、上記記憶部（スタティックスクリーンバッファ（ＳＳＢ））２２に保持された上記ユーザ名やパスワード等の情報と照合する。
【００５７】
ここで、上記照合が一致すれば、ログイン処理を行い、電子機器（ＰＣ）１０はスタンバイ状態から復帰する。また、上記照合が一致しなければ、ログイン処理は行なわない。
【００５８】
図１０は、実施形態に係わる電子機器において、スタンバイ状態への移行指示に応じて、ログイン画面の表示情報を記憶するようすを説明するフローチャートである。
【００５９】
ステップＳ３００は、ここでの開始ステップである。続いて、ステップＳ３０１に進む。
ステップＳ３０１は、例えば、ユーザが電子機器（ＰＣ）１０を動作させ、作業を行なっているステップである。続いて、ステップＳ３０２に進む。
ステップＳ３０２は、映像表示部１２に作業画面を表示するステップである。続いて、ステップＳ３０３に進む。
ステップＳ３０３は、上記のように、ユーザが例えば、キーボード１３等を操作し、スタンバイ状態（Ｓ３）への移行を指示するステップである。続いて、ステップＳ３０４に進む。
【００６０】
ステップＳ３０４は、上記第２の記憶部（スタティックスクリーンバッファ（ＳＳＢ）２２）に、１画面（フレーム）分のログイン画面情報を記憶するステップである。続いて、ステップＳ３０５に進む。
【００６１】
ステップＳ３０５は、第２の記憶部（スタティックスクリーンバッファ（ＳＳＢ）２２）および第１の記憶部（システムメモリ１０３）を除き、電子機器（ＰＣ）１０への電源（電力）供給を停止するステップである。続いて、ステップＳ３０６に進む。
【００６２】
ステップＳ３０６は、電子機器（ＰＣ）１０はスタンバイ状態（Ｓ３）に移行するステップである。続いて、ステップＳ３０７に進む。
ステップＳ３０７は、終了ステップであり、ここでの処理は終了する。
図１１は、実施形態に係わる電子機器において、スタンバイ状態において受信したレジューム指示に応じて、記憶されているログイン画面の表示情報を用いて表示を行うようすを説明するフローチャートである。
【００６３】
ステップＳ４００は、ここでの開始ステップである。続いて、ステップＳ４０１に進む。
ステップＳ４０１は、電子機器（ＰＣ）１０はスタンバイ状態（Ｓ３）に移行しているステップである。続いて、ステップＳ４０２に進む。
ステップＳ４０２は、電子機器（ＰＣ）１０はレジューム指示を受信したステップである。続いて、ステップＳ４０３に進む。
ステップＳ４０３は、電子機器（ＰＣ）１０がスタンバイ状態（Ｓ３）からレジューム処理開始するステップである。続いて、ステップＳ４０４に進む。
ステップＳ４０４は、映像表示部１２のＬＣＤ１７の電源をＯＮにするステップである。続いて、ステップＳ４０５に進む。
ステップＳ４０５は、上記第２の記憶部（スタティックスクリーンバッファ（ＳＳＢ）２２）に記憶された、上記ログイン画面（例えば、図９）をＬＣＤ１７に表示するステップである。続いて、ステップＳ４０６に進む。
【００６４】
ステップＳ４０６は、上記表示情報（ユーザ情報）の照合が一致した場合に、上記指示を受けたレジューム処理実行し、電子機器（ＰＣ）１０はフル稼働状態（Ｓ０）に移行するステップである。続いて、ステップＳ４０７に進む。
【００６５】
ステップＳ４０７は、終了ステップであり、ここでの処理は終了する。
上記のように構成することによって、この実施の形態においては、レジューム処理を受けてから電子機器が使用状態に復帰するまでに要する時間を短縮することが可能になる。また、この実施の形態においては、ログイン画面を表示し、表示情報（ユーザ情報）の照合が一致した場合に、レジューム処理を実行するので、上記に加え、秘匿性を向上させることが可能になる。
【００６６】
上記のように構成することによって、この実施の形態においては、レジューム処理を受けてから電子機器が使用状態に復帰するまでに要する時間を短縮することが可能になる。
【００６７】
なお、上記実施形態の制御処理の手順は全てソフトウェアによって実行することが可能である。このため、制御処理の手順を実行するプログラムを格納したコンピュータ読み取り可能な記憶媒体を通じてこのプログラムを通常のコンピュータにインストールして実行するだけで、上記実施形態と同様の効果を容易に実現することができる。
【００６８】
なお、上記実施形態は、記述そのものに限定されるものではなく、実施段階では、その趣旨を逸脱しない範囲で、構成要素を種々変形して具体化することが可能である。
【００６９】
また、上記実施形態に開示されている複数の構成要素の適宜な組み合せにより種々の発明を形成できる。
例えば、実施形態に示される全構成要素から幾つかの構成要素を削除してもよい。更に、異なる実施形態に亘る構成要素を適宜組み合せてもよい。
【符号の説明】
【００７０】
１０…電子機器（ＰＣ）、１１…ＰＣ本体、１２…映像表示部、２０…バックアップ電源、２１…タイミングコントローラ（ＴＣＯＮ）、２２…スタティックスクリーンバッファ（ＳＳＢ）、１０１…ＣＰＵ、１０３…システムメモリ、１０５…ＧＰＵ。
【図１】
2013007974.tif 000003
【図２】
2013007974.tif 000004
【図３】
2013007974.tif 000005
【図４】
2013007974.tif 000006
【図５】
2013007974.tif 000007
【図６】
2013007974.tif 000008
【図７】
2013007974.tif 000009
【図８】
2013007974.tif 000010
【図９】
2013007974.tif 000011
【図１０】
2013007974.tif 000012
【図１１】
2013007974.tif 000013
【手続補正書】
【提出日】平成24年9月6日(2012.9.6)
【手続補正１】
【補正対象書類名】特許請求の範囲
【補正対象項目名】全文
【補正方法】変更
【補正の内容】
【特許請求の範囲】
【請求項１】
実行中のデータを保持する第１の記憶部と
映像表示部に表示されている作業画面の表示情報をスタンバイ状態時に保持し続ける第２の記憶部と、
前記スタンバイ状態においてレジューム指示を受信したことに対応して、前記映像表示部に電源を供給する電源供給部と、
前記電源が供給された前記映像表示部に、前記第２の記憶部に保持されている前記作業画面の表示情報を用いて表示を行う作業画面表示部と、
前記作業画面が前記映像表示部に表示された後、前記第１の記憶部に保持された実行中のデータに対する操作に対応した作業画面の表示が可能な状態に移行する表示制御部と
を備える電子機器。
【請求項２】
前記スタンバイ状態への移行指示を受信したことに応じて、前記第２の記憶部に前記作業画面の表示情報を保持させる情報保持制御部を更に備える請求項１に記載の電子機器。
【請求項３】
前記第２の記憶部は、前記スタンバイ状態時に１フレーム分の前記作業画面の表示情報を保持し続ける請求項１に記載の電子機器。
【請求項４】
前記第２の記憶部は、実質的に前記映像表示部に設けられる請求項１に記載の電子機器。
【請求項５】
前記第２の記憶部は、前記スタンバイ状態においても電源供給が可能なバックアップ電源に接続される請求項１に記載の電子機器。
【請求項６】
前記スタンバイ状態において、前記第２の記憶部には電源が供給される請求項１に記載の電子機器。
【請求項７】
前記電源供給部は、実質的に前記映像表示部に設けられる請求項１に記載の電子機器。
【請求項８】
前記作業画面の表示情報は、前記スタンバイ状態への移行時に表示されていた最後の作業画面の表示情報である請求項１に記載の電子機器。
【請求項９】
前記作業画面の表示情報に代えて、前記スタンバイ状態への移行指示に応じて前記第２の記憶部にログイン画面情報を保存し、前記第２の記憶部に保存されているログイン画面情報を用いて前記映像表示部に表示を行う請求項１に記載の電子機器。
【請求項１０】
前記第２の記憶部は、スタティックスクリーンバッファを含む請求項１に記載の電子機器。
【請求項１１】
実行中のデータを保持する第１の記憶部と、映像表示部に表示されている作業画面の表示情報をスタンバイ状態時に保持し続ける第２の記憶部と、前記実行中のデータに対する操作に対応した作業画面を前記映像表示部に表示させる表示制御部を有する電子機器の制御方法であって、
前記スタンバイ状態への移行指示に応じて、映像表示部に表示されている作業画面の表示情報を前記第２の記憶部に保持させるステップと、
前記スタンバイ状態においてレジューム指示を受信し、このレジューム指示に応じて前記映像表示部に電源を供給するステップと、
前記電源が供給された前記映像表示部に、前記第２の記憶部に保持されている前記作業画面の表示情報を用いて表示を行うステップと、
前記作業画面が前記映像表示部に表示された後、前記第１の記憶部に保持された実行中のデータに対する操作に対応した作業画面の表示が可能な状態に前記表示制御部が、移行するステップと
を備える電子機器の制御方法。
【請求項１２】
実行中のデータを保持する第１の記憶部と、映像表示部に表示されている作業画面の表示情報をスタンバイ状態時に保持し続ける第２の記憶部と前記実行中のデータに対する操作に対応した作業画面を前記映像表示部に表示させる表示制御手段を有する電子機器の制御プログラムであって、
前記スタンバイ状態への移行指示に応じて、映像表示部に表示されている作業画面の表示情報を前記第２の記憶部に保持させるステップと、
前記スタンバイ状態においてレジューム指示を受信し、このレジューム指示に応じて前記映像表示部に電源を供給させるステップと、
前記電源が供給された前記映像表示部に、前記第２の記憶部に保持されている前記作業画面の表示情報を用いて前記作業画面を表示させるステップと、
前記作業画面が前記映像表示部に表示された後、前記第１の記憶部に保持された実行中のデータに対する操作に対応した作業画面の表示が可能な状態に表示制御部が移行するステップと
を備える電子機器の制御プログラム。